(57)【要約】【課題】安全で片手で扱える美観の優れた定量排出容器を、また、簡便に排出量を変更できる粉体の定量排出容器を提供する。【解決手段】粉体を収納する容器本体に、上面の開口部を覆う蓋部と粉体を定量取り入れる導入管を有する定量出し部材を設けた粉体の定量排出容器が知られている。本考案は、頂部に排出口３ａを有するキャップ３を容器本体２の上端の開口部に嵌着し、定量出し部材４は蓋部４ａに下方へのみ延出する導入管４ｂを有し、キャップ３と蓋部４ａに排出口３ａと取入口４ｃとが所定の位置関係になる位置決め手段を備えている。また、取入口４ｃは、導入管４ｂを断面半円に切欠いたもので、排出口３ａとの位置関係を導入管４ａの長手方向に直角方向に傾斜させて、排出量を変更するようにしている。【選択図】  図１
0003125897.tif 000002
【実用新案登録請求の範囲】
【請求項１】
粉体を収納する容器本体に、上面の開口部を覆う蓋部と粉体を定量取り入れる導入管を有する定量出し部材を設けた粉体の定量排出容器において、頂部に排出口を有するキャップを該容器本体の開口部に嵌着し、該定量出し部材は該蓋部の中央に下方へのみ延出し下端に取入口を有する導入管を備え、該排出口と該取入口とが所定の位置関係になる位置決め手段を該キャップと該蓋部に備えたことを特徴とする粉体の定量排出容器。
【請求項２】
前記取入口は、導入管を断面半円に切欠いたものとし、前記排出口との位置関係を導入管の長手方向に直角方向に傾斜させることにより、排出量を変更するようにしたことを特徴とする請求項１記載の粉体の定量排出容器。
【請求項３】
前記位置決め手段は、前記容器本体の上端部外周面に凸材を設けるとともに前記キャップに該凸材に係合する係合溝を設け、かつ、前記容器本体の上端に凹溝を設けるとともに前記定量出し部材の蓋部の外周部に該凹溝に係止する係止材を設けるか、または、前記容器本体の上端に突起を設けるとともに前記定量出し部材の蓋部の外周部に該突起が係止する係止溝を設けたことを特徴とする請求項１記載の粉体の定量排出容器。
【考案の詳細な説明】
【技術分野】
【０００１】
本考案は、砂糖や粉末茶などの粉体を収納して、定量を振り出すことができる粉体の定量排出容器に関するものである。
【背景技術】
【０００２】
容器に収納されている砂糖や粉末茶などの粉体を所定量取り出す場合は、一般にスプーンによっているが、こぼしてしまうことが少なくない。このため、頻繁に粉体を取出すようなところでは、定量排出容器が使用されている。
従来、この粉体の定量排出容器としては、粉体を収納する容器本体に、上面の開口部を覆う蓋部と粉体を定量取り入れる導入管を有する定量出し部材を設けたもの（例えば、特許文献１）が、広く使用されている。
【０００３】
この定量排出容器は、容器本体を傾けることにより導入管の下端の取入口が一定量の粉体を掬い取り、導入管に連通する上端の排出管から排出するようにしている。また、特許文献１の定量排出容器では、導入管の下端の取入口部に閉塞筒体を設けて、排出量を変えることができるようにしている。
【０００４】
【特許文献１】特開２００２−２６４９７５号公報。
【考案の開示】
【考案が解決しようとする課題】
【０００５】
特許文献１の定量排出容器は、形状が簡素で安価に製造でき、取り扱い易い点では満足できるものの、容器の上部に斜めに切った先の尖った排出管が突出しているので、見栄えがよいとはいえず、安全上の観点からも好ましくない。なお、排出管を覆うキャップを備えたものもあるが、使用時にキャップをいちいち取り外さなければならず、扱いづらいという欠点がある。
また、特許文献１では取入口を閉塞筒体で覆うことによって排出量を変更するようにしているが、容器を振る動作によって移動しないように、閉塞筒体を導入管に固定しなければならず、この固定手段が簡単ではなく製造コストが嵩むという欠点がある。
【０００６】
そこで、本考案は安全で片手で扱える美観の優れた定量排出容器を、また、簡便に排出量を変更できる粉体の定量排出容器を提供することを目的としている。
【課題を解決するための手段】
【０００７】
本考案の排出容器は、上記の目的を達成するため次の手段を採った。すなわち、粉体を収納する容器本体に、上面の開口部を覆う蓋部と粉体を定量取り入れる導入管を有する定量出し部材を設けた粉体の定量排出容器において、頂部に排出口を有するキャップを該容器本体の開口部に嵌着し、該定量出し部材は該蓋部の中央に下方へのみ延出し下端に取入口を有する導入管を備え、該排出口と該取入口とが所定の位置関係になる位置決め手段を該キャップと該蓋部に備えたことを特徴としている。
【０００８】
容器本体は有底円筒状に限らず、例えば、多角形筒状でもよい。また、キャップの形状も特に限定しない。キャップに設ける排出口は、単に開口したものでよいが、スライド開口できるようにしてもよい。
取入口は、導入管の下端に向かって斜めに削ったものでもよいが、請求項２に記載のように、導入管を断面半円に切欠いたものとするのが望ましい。
そして、排出量を変更できるようにする場合は、従来技術の閉塞筒体を用いてもよいが、請求項２に記載のように、キャップの排出口と取入口との位置関係を導入管の長手方向に直角方向に傾斜させて位置決めするとよい。
【０００９】
位置決め手段は、キャップの排出口と取入口とが所定の位置関係にできるものであればよい。例えば、キャップに定量出し部材を所定の位置関係になるように直接係止するようにしてもよい。また、請求項３に記載のように、容器本体の上端部外周面に凸材を設けるとともにキャップに該凸材に係合する係合溝を設け、容器本体の上端に凹溝を設けるとともに定量出し部材の蓋部の外周部に該凹溝に係止する係止材を設けてもよい。あるいは、容器本体の上端に突起を設けるとともに定量出し部材の蓋部の外周部に該突起が係止する係止溝を設けてもよい。
なお、排出量の変更が必要な場合は、容器本体の凹溝または定量出し部材の蓋部の係止溝を複数個とすればよい。一方、排出量を変更する必要の無い場合は、キャップに定量出し部材を固設してもよい。
【考案の効果】
【００１０】
本考案の定量排出容器は、頂部に排出口を有するキャップを該容器本体の開口部に嵌着し、該定量出し部材は該蓋部の中央に下方へのみ延出し下端に取入口を有する導入管を備え、該排出口と該取入口とが所定の位置関係になる位置決め手段を該キャップと該蓋部に備えたので、安全で片手で扱え、しかも、美観の優れたものとすることができる。
【００１１】
また、取入口は、導入管を断面半円に切欠いたものとし、排出口との位置関係を導入管の長手方向に直角方向に傾斜させることにより、排出量を変更する（請求項２）ようにすれば、従来（特許文献１）のように、閉塞筒体を必要とせずに簡素な構造とすることができる。
【００１２】
また、位置決め手段は、容器本体の上端に凹溝（または突起）を設けるとともに上端部外周面に凸材を設け、該凹溝（または突起）に係止する係止材（または係止溝）を定量出し部材の蓋部の外周部に設け、該凸材に係合する係合溝をキャップに設け（請求項３）れば、排出口と取入口とが確実に所定の位置関係に位置決めされ、特に、排出量を変更する場合の位置決めを簡便確実の行える。
【考案を実施するための最良の形態】
【００１３】
本考案の粉体の定量排出容器の実施の形態を、図１〜図６に基づいて以下に具体的に説明する。
この粉体の定量排出容器１は、上部が開口した容器本体２と、キャップ３と、定量出し部材４とから構成されている。なお、材料は全て合成樹脂を用いている。
【００１４】
容器本体２は、直径が約５５ｍｍ、高さが約１００ｍｍの略円筒状で、底を有し上部が開口されている。なお、容器本体２は収納した粉体が見えるように透明な材料を用いて成形されている。
容器本体２の上端部外周面２ａは、キャップ３が嵌着したとき、キャップ３の外周面と容器本体２の外周面が同一になるように、径を小さくした段が形成されている。そして、ここにキャップ３の係合溝３ｂ，３ｃに係合する凸材２ｂ，２ｃが対向して突設されている。なお、凸材２ｂ，２ｃの大きさは同じであるが、容器本体２の上端からの位置は若干変えている。
また、容器本体２の上端には、定量出し部材４の蓋部４ａに突設された係止材４ｄが係止するための凹溝２ｄ，２ｅ，２ｆが設けられている。
【００１５】
キャップ３は、図３および図４に示すように、頭部の一端側を高くして頂部を形成し、ここに排出口３ａが設けられている。なお、キャップ３は着色されている。
キャップ３は容器本体２の上端部外周面２ａに嵌合する内径を有し、容器本体２の凸材２ａ，２ｂと係合して固定するための係合溝３ｂ，３ｃが設けられている。
【００１６】
定量出し部材４は、図５に示すように、容器本体２の上部の開口を覆う蓋部４ａの中央部に下方のみに延出された導入管４ｂが設けられた構成としている。そして、導入管４ｂの下端には長手方向に中央から切欠いた取入口４ｃが設けられている。なお、取入口４ｃの長さはここでは１５ｍｍとしている。また、導入管４ｂの長さは、９０ｍｍとしている。
そして、蓋部４ａの外周裏面には容器本体２の凹溝２ｄ，２ｅ，２ｆのいずれかに係合する係止材４ｄが設けられている。
【００１７】
砂糖やお茶などの粉体を容器本体２に収納するときは、キャップ３を取り外し、定量出し部材４を取り外す。そして、粉体を収納したら、定量出し部材４の係止材４ｄを容器本体２の凹溝２ｄに係止させて取り付ける。しかる後、上からキャップ３を取り付ける。
このとき、キャップ３の係合溝３ｂを容器本体２の凸材２ｂに、また、係合溝３ｃを凸材２ｃにそれぞれ係合させ、キャップ３を容器本体２に対して回動させることにより、嵌着固定される。そして、排出口３ａは、容器本体２に対して、常に同位置に固定される。すなわち、凸材２ｂと凸材２ｃは、容器本体２の上端からの位置が異なっているので、係合溝３ｂを凸材２ｃへ係合溝３ｃを凸材２ｂへ係合させることはできない。
キャップ３が取り付けられると、取入口４ｃは排出口３ａに対して真後ろ側に位置している。
【００１８】
粉体を排出させるときは、容器本体２の胴体部を掴んで持ち上げ、茶碗などの上で排出口３ａを下向きに傾倒させる。これにより、取入口４ｃによって粉体が所定量掬われて導入管４ｂ内へ送り込まれ、キャップ３内に流入して排出口３ａから排出される。
【００１９】
次に、取出す量を変更する場合について説明する。
上記の場合より、少ない量にする場合は、係止材４ｄを容器本体２の凹溝２ｄから凹溝２ｅへ係止させる。これにより、取入口４ｃは、図５（ｃ）に示すように排出口３ａに対して傾いた状態となり、粉体を掬う量が少なくなる。また、さらに少なくしたい場合は、係止材４ｄを容器本体２の凹溝２ｆへ係止させる。これにより、図５（ｄ）に示すように、取入口４ｃは、排出口３ａに対してさらに傾いた状態となり、粉体を掬う量が少なくなる。
【００２０】
次に、排出口と取入口とを所定の位置関係にする位置決め手段の別の実施の形態について図７に基づいて説明する。
図７（ａ）は、容器本体７の上部を示す斜視図であり、上記説明した容器本体２のように、上端部に凹溝２ｄ〜２ｆが設けられておらず、替わりに突起７ａが設けられている。一方、定量出し部材８は図７（ｂ）に示すように、上記説明した定量出し部材４のように、蓋部の外周部に係止材４ｄが設けられておらず、替わりに係止溝８ａ，８ｂ，８ｃが設けられている。そして、係止溝８ａ，８ｂ，８ｃの近傍には、それぞれ、大、中、小と書かれている。
【００２１】
このように構成されているので、取出す量を変更する場合は、定量出し部材８を容器本体７へ被せるときに、係止溝８ａ，８ｂ，８ｃの所望するいずれかを突起７ａに係止させる。係止溝８ａを係止させれば、図６（ｂ）の状態となり、係止溝８ｂを係止させれば、図６（ｃ）の状態となり、係止溝８ｃを係止させれば、図６（ｄ）の状態となって粉体が掬われる。定量出し部材８には大、中、小の標記があるので間違うことなく簡便に変更できる。
【００２２】
一方、排出量をさらに増加させる場合は、取入口４ｃの切欠き長さの長いもの、または、導入管４ｂの径を大きくした定量出し部材４に変える。
なお、上記の実施の形態では、考案の理解を容易にするため容器の寸法を記載したが、本考案はこれに限定されるものではないことは当然である。
【図面の簡単な説明】
【００２３】
【図１】本考案の粉体の定量排出容器の実施の形態を示す斜視図である。
【図２】同、容器本体を示す斜視図である。
【図３】同、キャップを示す斜視図である。
【図４】同、キャップを裏面から見た斜視図である。
【図５】同、定量出し部材を示す斜視図である。
【図６】同、粉体の排出量を変更する説明図で、（ａ）は定量出し部材の斜視図で、（ｂ）（ｃ）（ｄ）は、（ａ）のＡ視図であり、（ｂ）は最大排出量、（ｃ）は中排出量  （ｄ）は最小排出量の状態を示す。
【図７】本考案の粉体の定量排出容器の別の実施の形態を示すもので、（ａ）は、容器本体の上部分を示す斜視図で、（ｂ）は、定量出し部材を示す斜視図である。
【符号の説明】
【００２４】
１  定量排出容器
２  容器本体
２ａ  上端部外周面
２ｂ  凸材
２ｃ  凸材
２ｄ  凹溝
２ｅ  凹溝
２ｆ  凹溝
３  キャップ
３ａ  排出口
３ｂ  係合溝
３ｃ  係合溝
４  定量出し部材
４ａ  蓋部
４ｂ  導入管
４ｃ  取入口
４ｄ  係止材
７  容器本体
７ａ  突起
８  定量出し部材
８ａ  係止溝
８ｂ  係止溝
８ｃ  係止溝
【図１】
0003125897.tif 000003
【図２】
0003125897.tif 000004
【図３】
0003125897.tif 000005
【図４】
0003125897.tif 000006
【図５】
0003125897.tif 000007
【図６】
0003125897.tif 000008
【図７】
0003125897.tif 000009